(57)【要約】【課題】  対極電極体の配置位置が制限されることなく、より自由な本体部の設計やデザインを可能とした美容機器を提供する。【解決手段】  電源部２１と電力を供給する給電部２２とを有する本体部１１と、被施療部に電流を出力する電極部２３と給電部２２からの電力を受給する受電部２４とを有する機能部１２とを備えることを特徴とする。【選択図】図１
2014036767.tif 000002
【特許請求の範囲】
【請求項１】
電源部（２１）と電力を供給する給電部（２２）とを有する本体部（１１）と、被施療部に電流を出力する電極部（２３）と前記給電部（２２）からの電力を受給する受電部（２４）とを有する機能部（１２）とを備えることを特徴とする美容機器。
【請求項２】
前記本体部（１１）と前記機能部（１２）とは別体にて構成されており、前記給電部（２２）から受電部（２４）へワイヤレスにて電力供給することを特徴とする請求項１に記載の美容機器。
【請求項３】
前記給電部（２２）は１次コイル（２２ａ）から成るとともに、前記受電部（２４）は２次コイル（２４ａ）から成り、前記給電部（２２）から前記受電部（２４）へ電磁誘導方式にて電力供給することを特徴とする請求項２に記載の美容機器。
【発明の詳細な説明】
【技術分野】
【０００１】
本発明は、使用者の肌や皮膚といった被施療部に対して所定の美容効果を与える美容機器に関する。
【背景技術】
【０００２】
使用者の被施療部に対し所定の美容・美肌に係る各種美容動作を実行する美容機器は、家庭で用いられる簡易な単機能・低出力のものから、業務用として用いられる多機能・高出力のものまで、様々な種類のものが利用されている。こうした美容機器において、家庭で用いられるものとしては、被施療部（肌）に微弱電流を流してイオン化溶液中に含まれるイオン化成分を深く浸透させるイオン導入（イオントフォレーシス）を行う美容機器がある。係る美容機器として、特許文献１が開示されている。
【先行技術文献】
【特許文献】
【０００３】
【特許文献１】特開２０００−２１０３８５号公報
【発明の概要】
【発明が解決しようとする課題】
【０００４】
特許文献１に記載の美容機器は、本体部の上端前方に施療部位に接触して電流を出力する電極体が設けられ、本体部の左右両側に電極体と対となる対極電極体が設けられている。この対極電極体は、手で持って使用する位置に配置する必要があるため、対極電極体の配置位置が制限され、本体部の設計やデザインに自由度が規制されていた。本発明の目的は、対極電極体の配置位置が制限されることなく、より自由な本体部の設計やデザインを可能とした美容機器を提供することにある。  
【課題を解決するための手段】
【０００５】
本願発明は、電源部２１と電力を供給する給電部２２とを有する本体部１１と、被施療部に電流を出力する電極部２３と給電部２２からの電力を受給する受電部２４とを有する機能部１２とを備えることを特徴とする。また、本体部１１と機能部１２とは別体にて構成されており、給電部２２から受電部２４へワイヤレスにて電力供給することを特徴とする。また、給電部２２は１次コイル２２ａから成るとともに、受電部２４は２次コイル２４ａから成り、給電部２２から受電部２４へ電磁誘導方式にて電力供給することを特徴とする。
【発明の効果】
【０００６】
係る構成の美容機器によれば、対極電極体の配置位置を考慮する必要がなくなり、従来に比べて本体部における設計やデザインの自由度を広げることができる。
【図面の簡単な説明】
【０００７】
【図１】第１実施形態に係る美容機器の斜視図である。
【図２】第１実施形態に係る本体部の正面図及び側面図である。
【図３】第１実施形態に係る機能部の正面図及び断面図である。
【図４】第１実施形態に係る美容機器の構成を示すブロック図である。
【図５】第１実施形態に係る美容機器のイオン導入時の給電部・受電部における波形図である。
【図６】第１実施形態に係る美容機器の構成を示すブロック図の変形例である。
【図７】第１実施形態に係る美容機器の使用状態図である。
【図８】第１実施形態に係る美容機器の人体検知回路図である。
【図９】第２実施形態に係る美容機器の使用状態図である。
【発明を実施するための形態】
【０００８】
本発明の第１実施形態に係る美容機器を図１ないし図８に基づいて説明する。図１は、本実施形態に係る美容機器１の斜視図である。図２において、図２（ａ）は、本実施形態に係る美容機器１における本体部１１の正面図であり、図２（ｂ）は、その側面図である。図３において、図３（ａ）は、本実施形態に係る美容機器１における機能部１２の正面図であり、図３（ｂ）は、図３（ａ）におけるＡ−Ａ線断面図であり、図３（ｃ）は、図３（ｂ）の変形例である。なお、図３（ａ）においては、粘着部１２ａの図示を省略している。本実施形態に係る美容機器１は、本体部１１と機能部１２とを備えており、本体部１１と機能部１２とは別体にて構成されている。本体部１１は、電源部２１と電力を供給する給電部２２とを有し、機能部１２は、被施療部に電流を出力する電極部２３と給電部２２からの電力を受給する受電部２４とを有する。この給電部２２及び受電部２４については、電磁誘導方式給電形態の構成を用いて説明する。
【０００９】
本体部１１は、図２に示すように、その一部に１次コイル２２ａ（給電部２２）が配設されている一方、使用者が使用時に手で握って保持する把持部１１ａが形成されている。また、把持部１１ａの長手方向は、把持部１１ａの正面方向に対して所定角度分傾いた形状として形成され、内部には制御部等の電気回路や電池・交流電源等の電源部２１が配設されている。また、把持部１１ａの正面側には、使用者の入力操作を受けて美容動作のＯＮ／ＯＦＦや動作の種類、強弱等を切換える操作部１１ｂが配設される。
【００１０】
機能部１２は、シート状であって、図３に示すように、上記１次コイル２２ａからの出力を受け止める２次コイル２４ａ（受電部２４）と、一対の電極部２３（電極体２３ａ、対極電極体２３ｂ）が設けられており、２次コイル２４ａ（受電部２４）が重なる部分においては、絶縁体２５が設けられている。２次コイル２４ａ（受電部２４）と一対の電極部２３との配置関係は、図３（ｂ）に示すように、２次コイル２４ａ（受電部２４）が内部中央に設けられ、２次コイル２４ａを挟むようにして一対の電極部２３を設けても良いし、図３（ｃ）に示すように、シート状全面に２次コイル２４ａ（受電部２４）を設け、２次コイル２４ａ（受電部２４）と重なるようにして一対の電極部２３を設けても良い。また、機能部１２の一面には導電性を有する粘着部１２ａが設けられており、被施療部に貼り付けることができる。なお、機能部１２には、電極部２３にパルスを再生出力するパルス出力部を設けても良い。
【００１１】
図４は、本実施形態に係る美容機器１の構成を示すブロック図である。図４に示すように、本体部１１は、電流を出力するための電源部２１と、電源部２１からの電流が流れることで電磁界を発生する１次コイル２２ａ（給電部２２）とを備える。また、機能部１２は、１次コイル２２ａからの電磁力を受電する２次コイル２４ａ（受電部２４）と、この電力により被施療部に電流を出力する電極部２３（電極体２３ａ、対極電極体２３ｂ）とを備える。ここで、１次コイル２２ａから２次コイル２４ａへの電力供給は、磁界を生じている１次コイル２２ａに２次コイル２４ａが近接配置されることで、１次コイル２２ａに生じている磁束に励起されて２次コイル２４ａに起電力が生じる、所謂、電磁誘導により、１次コイル２２ａおよび２次コイル２４ａのそれぞれに鎖交して磁力線が発生し、これにより、１次コイル２２ａから２次コイル２４ａへ電力供給される。ここで、例えば、１次コイル２２ａに４０〜１００ｋＨｚの高周波電力が加えられると、２次コイル２４ａにも同様の高周波電力が出力される。この場合、１次コイル２２ａに１Ｈｚの低周波電力で変調させブロッキング発振させると、２次コイル２４ａにも１Ｈｚのブロッキング発振が励起され、この出力をコンデンサ等で平滑すれば、１Ｈｚの交流電力が得られる。
【００１２】
図５は、本実施形態に係る美容機器のイオン導入時の波形図であり、図５（ａ）は、給電部２２（図４におけるＡ’−Ｂ’間）の波形を示し、図５（ｂ）は、受電部２４（図４におけるＡ−Ｂ間）の波形を示す。本実施形態の美容機器の構成においては、図５（ａ）に示すように、給電部２２にＳｉｎ波が入力されると、図５（ｂ）に示すように、受電部２４では正の電圧と負の電圧が交互に出力される。このような波形図は、被施療部に両極性型の化粧・薬剤成分、例えば、トラネキサム酸を浸透させるのに有効である。
【００１３】
図６は、本実施形態に係る美容機器１の構成を示すブロック図の変形例であって、図６（ａ）に示すように、２次コイル２４ａ（受電部２４）と一方の電極部２３（電極体２３ａ）との間に整流ダイオードを配置し、図５（ａ）に示すＳｉｎ波を給電部２２に入力することにより、受電部２４の波形は、図５（ｃ）に示すように、正の電圧または負の電圧のみが出力（半波パルス）される。このような波形図は、被施療部に片極性型の化粧・薬剤成分、例えば、リン酸−Ｌアスコルビン酸ナトリウム、リン酸−Ｌアスコルビン酸マグネシウム、アスコルビン酸グルコシド等のビタミンＣ誘導体を浸透させるのに有効である。この他にも、図６（ｂ）に示すように、２次コイル２４ａ（受電部２４）と一方の電極部２３（電極体２３ａ）との間に整流ダイオードを配置するとともに、電極部２３（電極体２３ａ、対極電極体２３ｂ）間にコンデンサを配置した状態で、図５（ａ）に示すＳｉｎ波を給電部２２に入力することにより、図５（ｄ）に示すような正の電圧または負の電圧が出力される。また、図６（ｃ）に示すように、電極部２３（電極体２３ａ、対極電極体２３ｂ）間に整流ダイオードを並列配置して、図５（ａ）に示すＳｉｎ波を給電部２２に入力することにより、図５（ｅ）に示すような連続した正の電圧または負の電圧のみが出力（全波整流パルス）される。なお、給電部２２に入力される波形は、Ｓｉｎ波に限らず、矩形波、三角波でも良く、また、受電部２４から出力される波形は、周波数変調型や周波数・振幅同時変調型でも良い。
【００１４】
次に、本実施形態に係る美容機器１の動作について説明する。使用者は、機能部１２を被施療部に貼り付けて、本体部１１に配設された操作部１１ｂの電源ＯＮ／ＯＦＦスイッチを操作して美容機器を起動させる。そして、機能部１２を貼り付けた位置に本体部１１を近づけると、イオン導入が開始される。機能部１２を貼り付ける箇所は肌や皮膚といった被施療部であればどこでも良く、本実施形態では、図７に示すように、機能部１２を目の下辺りに貼り付けている。また、被施療部に機能部１２を貼り付ける前に被施療部もしくは機能部１２の粘着部１２ａ側にイオン化成分を含む溶液や溶剤を塗布しておくと良い。もちろん、粘着部１２ａがイオン化成分を含むものであっても良い。
【００１５】
ここで、美容機器１には、電源部２１からの電流をパルスに換え、このパルスを電極部２３に出力するように制御する制御部が内蔵されており、操作部１１ｂの電源ＯＮ／ＯＦＦスイッチ、モード切替スイッチ、強弱切替スイッチからの入力を受け、電極部２３を制御する。この制御部は、実際には主にマイクロコンピュータにより実装され、その余の部分は回路からなり、電極部２３は、制御部から出力された制御信号（電極用制御信号）に従って電流を出力する。また、制御部は、電極部２３から人体検知用の検出信号を適宜出力するようにしている。人体検知とは、電極部２３が被施療部（人体）と接触しているか否かを検知するものである。人体検知を使用する目的は、被施療部（人体）を検知して電流を出力し、確実にイオン導入を使用者に行うことにある。本美容機器１においては、ソフトスタートを行うために特に有用であり、すなわち、被施療部（人体）に確実に電極部２３が接触している状態でソフトスタートをする意味があり、被施療部（人体）に電極部２３が接触していない状態でソフトスタートし、ソフトスタートを経過した通常の動作時に被施療部（人体）に接触させた場合にはソフトスタートの意味がなくなる。電極部２３からの電流が出力されている場合には、検出信号は出力しなくてもよい。これは、電流が適切に出力されている場合には、被施療部（人体）電極部２３が接触しているため、別途検出信号を出力する必要がないことによるものである。ここで、適切に電極部２３が被施療部（人体）に接触していることを使用者に知らせるために、本体部１１に発光部（発光ダイオード）を設け、発光を変化させると良く、例えば、人体検知がなされるまでは、発光部を点滅させ、人体検知がなされれば点灯に移行するようにする。
【００１６】
この人体検知は、具体的には、一対の一方の電極部２３ａから所定周波数の検出信号が出力されている。この検出信号は、被施療部（人体）と電極部２３ａが接触している場合には被施療部（人体）を通って他方の電極部の対極電極部２３ｂに入力される。被施療部（人体）を介してしているので、電極部２３ａで検出される検出信号と比べると、対極電極部２３ｂで検出される検出信号は、ノイズが入った微弱な信号となる可能性がある。このような信号により被施療部（人体）と実際に接触しているか否かを判別する場合に、単純に検出信号の１つでも検出されると被施療部（人体）が検知されると判別するのは早計であり、ノイズにより一時的に上昇した波高値である可能性もある。したがって、人体検知の回路に抵抗やコンデンサなどのような積分回路を配設し、一定時間を継続して検出信号が入力された場合に、制御部に人体検知がなされたことを示す信号を出力するようにすると良い。ここで、係る一定時間は、積分回路の抵抗値又はコンデンサの容量を変更することにより調整が可能であり、可変にすることも可能である。他の人体検知の方法としては、出力した検出信号に対応する対極電極部２３ｂで検出された検出信号の平均をとって所定電圧レベル以上となっている場合にのみ美容動作に移行する構成とすることもできる。また、検出された検出信号の平均だけでなく、他にも、最初と最後のいくつかの検出信号を無視して残りの検出信号の平均を比較対象とすることもできる。最初と最後のいくつかの検出信号を無視したのは、一般に被施療部（人体）に対して電気信号を流した場合に、最初と最後の電気信号に対する検出信号が弱くなるという性質を考慮したものである。他には、この性質を逆手にとって、電圧の変化率が高いポイントが２点あるか否かにより判別することもできる。この２点というのは、最初と最後の電気信号に対する検出信号が弱くなる部分のことを意味している。また、単に平均だけでなく、検出信号のうち所定の電圧レベルを超えた検出信号の数により判別してもよい。なお、人体検知を行うには、図８に示すように、２次コイル２４ａ（受電部２４）と一方の電極部２３（電極体２３ａ）との間に整流ダイオードを配置するとともに、電極部２３間に整流ダイオードと電圧判定回路を配置した回路図が考えられる。
【００１７】
続いて、本発明の第２実施形態に係る美容機器を図９に基づいて説明する。第１実施形態の美容機器１は、機能部１２を被施療部に直接貼り付けて局部的に美容動作を行うものであるが、本実施形態の美容機器１は、顔面全体を覆うようにマスク部１２’（機能部１２）を貼り付けることで、顔面全体に美容動作を行うことが可能となる。このマスク部１２’の構成について説明すると、シート状のものに本体部１１の１次コイル２２ａからの出力を受け止める２次コイル（受電部）（不図示）と、電流を出力する一対の電極部２３（電極体２３ａ、対極電極体２３ｂ）と、イオン化成分を含む粘着部（不図示）とを備え、２次コイル（受電部）はシートの外周に配設され、電極部２３は電極体２３ａが額の位置に、対極電極体２３ｂが顎の位置にそれぞれ相対するようにシートの上下に配設され、粘着部１２ａは一対の電極部のいずれか一方を除くようにしてシート一面の全体に配設されている。なお、マスク部１２’においては、図９に示すように、目・鼻・口に対向する位置に開口６７を設けると良い。
【００１８】
係る構成のマスク部１２’を顔面に覆い、本体部１１をマスク部１２’に近付けることで、電磁誘導方式により１次コイル２２ａ（給電部２２）から２次コイル２４ａ（受電部２４）へと電力給電され、顔全体に対して美容動作を行うことができる。
【００１９】
なお、各実施形態においては、美容動作の強弱を調節することが可能であり、係る調節は、給電部２２に入力される電力や受電部２４から出力される電力を制御したり、本体部１１と機能部１２との距離、つまり、本体部１１における給電部２２（１次コイル２２ａ）と機能部１２における受電部２４（２次コイル２４ａ）との距離を調整したりすることによって可能となる。
【００２０】
また、各実施形態における美容機器１は、本体部１１と機能部１２によって構成され、機能部１２を施療部位に取り付けた状態にて本体部１１を手に取って機能部１２に近づけることで美容動作が行われるが、例えば、給電部２２（１次コイル２２ａ）が組み込まれた構成体を室内に別途配置したり、クッション・ベッド・カーペットといった生活用品に内蔵したりすれば、食べながら、寝ながら、テレビを観ながら美容動作を行うことが可能となる。また、給電部２２（１次コイル２２ａ）から受電部２４（２次コイル２４ａ）へと電力を供給する方式として電磁誘導方式を採用しているが、これに限らず、電界結合方式、磁界共鳴方式、電波受信方式といった種々のワイヤレス給電方式を採用しても良い。
【符号の説明】
【００２１】
１  美容機器
１１  本体部
１２  機能部
２１  電源部
２２  給電部
２３  電極部
２４  受電部
【図１】
2014036767.tif 000003
【図２】
2014036767.tif 000004
【図３】
2014036767.tif 000005
【図４】
2014036767.tif 000006
【図５】
2014036767.tif 000007
【図６】
2014036767.tif 000008
【図７】
2014036767.tif 000009
【図８】
2014036767.tif 000010
【図９】
2014036767.tif 000011